(57)【要約】【課題】離れたネットワーク上の機器同士を接続するためには相手のＩＰアドレス等を知り、設定する必要があり面倒であった。また、誤った情報を入力した場合は意図しない相手に接続してしまう恐れがあり、セキュリティ上の問題があった。【解決手段】音声通話機能を持った電話機を用いて接続相手を指定し、電話機を介して、相手の電話機に接続された機器のアドレスや認証情報を共有することにより、相手の電話番号を入力するという、今まで使い慣れている操作だけで、接続相手を簡単に特定することができる。また、音声通話により相手を確認してから機器をつなぐことができるため、予測しない相手と接続してしまう危険を回避することができる。【選択図】図１
2006080817.tif 000002
【特許請求の範囲】
【請求項１】
通信回線に接続された音声通話装置であって、操作者が第二の音声通信装置を指定する入力手段と、前記第二の音声通信装置との間で前記通信回線を通して音声による通話を行う手段と、前記通信回線を通して接続された機器と認証するための認証情報を前記機器と共有する手段と、前記認証情報を前記第二の音声通信装置と共有する手段とを有する、音声通信装置。
【請求項２】
操作者の操作を検出する入力手段と、前記入力手段の出力に従って前記通話先の音声通信装置に対して機器接続要求を送信する手段と、機器接続要求を受信したことを操作者に通知する通知手段と、操作者が機器接続要求を受け入れるか否かを指定する接続可否入力手段と、前記接続入力手段の結果に従って前記機器接続要求の送信元である音声通信装置に対して機器接続要求を受け入れるか否かを送信する手段を有する、請求項１記載の音声通信装置。
【請求項３】
音声通信装置の固有情報を記憶する機器接続可能先テーブルと、前記受信した機器接続要求に含まれる前記音声通信装置の固有情報が前記機器接続可能先テーブルに登録されているか否かを判定する判定手段とを有し、前記判定手段及び前記接続入力手段の結果に従って前記機器接続要求の送信元である音声通信装置に対して機器接続要求を受け入れるか否かを送信する手段を有する、請求項２記載の音声通信装置。
【発明の詳細な説明】
【技術分野】
【０００１】
本発明は、通信回線を用いて音声およびデジタルデータの通信を行うことができる、音声通話装置に関するものである。
【背景技術】
【０００２】
近年、ＩＰ（Ｉｎｔｅｒｎｅｔ  Ｐｒｏｔｏｃｏｌ）ネットワークを使って、データだけでなく、映像や音声などをデジタル化して伝送することが可能になり、その技術を家電に応用する取り組みが進んでいる。例えば、ＤＶＤレコーダに蓄積されている映像データを、Ｅｔｈｅｒｎｅｔ（登録商標）で接続されたデジタルテレビから視聴するといったことが可能になる。その場合、従来の家電と同様に簡単に扱うためには、接続先のＩＰアドレスの設定などの複雑な手順をすることなくし、簡単に接続するためのしくみが必要である。
【０００３】
従来、同じＬＡＮ（Ｌｏｃａｌ  Ａｒｅａ  Ｎｅｔｗｏｒｋ）上の機器同士を簡単に接続する技術として、非特許文献１等に記載されたユニバーサルプラグアンドプレイ（ＵＰｎＰ）技術があった。ＵＰｎＰによって、テレビ６２がＤＶＤレコーダ６１の映像データを取得して表示する手順を、図５を用いながら、以下に説明する。
【０００４】
まず、テレビ６２は、ネットワーク上に接続された機器を検索するために、ネットワーク上のすべての機器に対して、問い合わせパケットをブロードキャストにより送信する。受信した機器のうち、ＤＶＤレコーダ６１を含む、すべてのＵＰｎＰ対応機器は、自機器の属性情報をブロードキャストで返す。それにより、問い合わせを行った機器を含むすべての機器は、ネットワーク上にどのような種類の機器が存在するかを知ることができる。
【０００５】
更に、得られた属性情報を元に、各機器に個別に問い合わせることにより、各機器の更に詳細な属性情報を得ることができ、各機器の機能や、提供可能なサービスなどを知ることができる。図５の例では、テレビ６２は、ＤＶＤレコーダ６１が映像データをネットワーク上の機器に提供可能であることを知ることができる。そこで、テレビ６２はＤＶＤレコーダ６１から映像データのリストを取得する。テレビは、リストに記載された情報から映像データをＤＶＤレコーダ６１から取得し、表示することができる。
【０００６】
また、異なるＬＡＮ上にある機器同士を接続する技術としては、ネットワーク上のディレクトリサーバを用いる方法があった。他の機器からの接続を受け付けたい機器は、あらかじめアドレスが知らされているディレクトリサーバに接続し、自機器のアドレスやニックネーム、機能等の属性情報を登録しておく。別の機器がその機器に接続したい場合、ディレクトリサーバに接続し、登録されている機器の一覧を取得し、接続希望先の機器の情報を得ることができる。
【０００７】
しかし、上述のＵＰｎＰによる方法では、機器の検索にブロードキャストパケットを使うため、インターネットのような、複数のＬＡＮが組み合わされた巨大なネットワークに適用すると、世界中から大量のブロードキャストパケットが送られてネットワークに膨大な負荷をかけるため現実的ではなく、家庭内などの小さなネットワークの中にある機器同士で接続する場合にのみ適用可能という制限があった。
【０００８】
また、ディレクトリサーバを利用する方法の場合、ディレクトリサーバに登録された情報が膨大になると、接続したい相手機器を一覧から見つけ出すことが難しくなるため、検索する必要があり、そのためには、あらかじめ、相手のニックネーム等の情報をあらかじめ知っておき、入力する必要があるため、手間がかかるという課題があった。また、膨大な登録機器の中から探し出すため、似たような属性を持つ、意図しない相手に誤って接続してしまう恐れがあるという、セキュリティ上の課題があった。
【非特許文献１】“ＵＮＤＥＲＳＴＡＮＤＩＮＧ  Ｕｎｉｖｅｒｓａｌ  Ｐｌｕｇ  ａｎｄ  Ｐｌａｙ  Ｗｈｉｔｅ  Ｐａｐｅｒ”、ＨＴＴＰ：／／ｗｗｗ．ｕｐｎｐ．ｏｒｇ／ｄｏｗｎｌｏａｄ／ＵＰＮＰ＿ＵｎｄｅｒｓｔａｎｄｉｎｇＵＰＮＰ．ｄｏｃ
【発明の開示】
【発明が解決しようとする課題】
【０００９】
本発明は、異なるＬＡＮ上にある機器どうしを接続する場合でも、接続相手先機器のアドレス等の複雑な設定等を必要とせず、また、ブロードキャストパケットによって検索する方式のようにネットワークに膨大な負荷をかけることなく、更に、意図しない相手に誤って接続してしまうことを回避するための、簡単な操作で安全に接続するための技術を提供する。
【課題を解決するための手段】
【００１０】
音声通話機能を持った電話機を用いて接続相手を指定し、電話機を介して、相手の電話機に接続された機器のアドレスや認証情報を共有することにより、相手の電話番号を入力するという、今まで使い慣れている操作だけで、接続相手を簡単に特定することができる。また、音声通話により相手を確認してから機器をつなぐことができるため、予測しない相手と接続してしまう危険を回避することができる。
【発明の効果】
【００１１】
そのため本発明は、ＩＰ電話機を用いて接続相手を指定する方法を用いることにより、相手の電話番号を入力するという、今まで使い慣れている操作だけで、接続相手を簡単に特定することができる。また、音声通話により相手を確認してから機器をつなぐことができるため、予測しない相手と接続してしまう危険を回避することができる。
【発明を実施するための最良の形態】
【００１２】
（実施の形態１）
本発明の第一の実施例について、図１から図４を用いて説明する。
【００１３】
図１は、本発明の実施例である音声通信装置の概略構成図である。図２は本発明の実施例である音声通信装置を用いたシステムの接続図である。図３は、本発明の実施例である音声通信装置の概観の一例である。以下に、図２における家庭２１のテレビ２１２から家庭２０のＤＶＤレコーダ２０２に対して、ＩＰ電話２１１及び２１１を用いて接続する手順を、図４に従って説明する。
【００１４】
なお、電話機の操作による接続を許可する相手および対象機器は、あらかじめ各々の操作者が電話機に登録してあるとする。すなわち、ＩＰ電話２０１には、接続相手としてＩＰ電話２１１の電話番号と、接続対象機器としてＤＶＤレコーダ２０２のＩＤが登録されており、ＩＰ電話２１１には、ＩＰ電話２０１の電話番号と、テレビ２１２のＩＤが登録されている。
【００１５】
（１）操作者２１４はＩＰ電話２１１の数字ボタン１０８で相手の電話番号を押すことでＩＰ電話２０１の電話番号を指定すると（１−１）、電話機２１１の音声通信処理部１０２は電話機２０１に接続要求を送り（１−２）、電話機２０１の音声通信処理部１０２は接続要求を受信すると、呼び出し音を鳴らして操作者２０４に知らせる。操作者２０４が受話器１０６を持ち上げると（１−３）、電話機２１１と電話機２０１は接続され、操作者２１４と操作者２０４は通話することができる（１−４）。
【００１６】
（２）通話中に操作者２１４が電話機２１２の機器接続ボタン１０９を押すと（２−１）、ＩＰ電話２１１の機器接続処理部１０３は通話相手が機器接続可能と登録されているかどうかを電話帳データベース１０４に問い合わせ、機器接続が可能と登録されていれば、図３（ｃ）に示した例のように、機器データベース１０５に登録されてある接続可能機器の一覧をディスプレイ１５１に表示する。（もし通話相手が電話帳データベース１０４に機器接続可能と登録されていない場合、通話相手の機器と接続できない旨をディスプレイ１５１に表示する。）次に、操作者２１４が１５２、１５３、１５４のボタンを使って画面１５１上でテレビを選択すると、電話機２１１の機器接続処理部１０３は電話機２０１に対して、テレビ２１２からの接続を要求する機器接続要求を送る（２−２）。
【００１７】
（３）電話機２０１の機器接続処理部１０３は、機器接続要求を受信すると、通話相手のＩＰ電話２１１が機器接続可能と登録されているかを電話帳データベース１０４に問い合わせ、登録されていれば、図３（ｄ）に示した例のように画面１５１に接続要求の内容を表示し、機器接続ボタン１０９を光らせ、チャイム音を鳴らして、機器接続要求があることを操作者に通知する（３−１）。（もし、通話相手が電話帳データベース１０４に機器接続可能と登録されていない場合は、通話相手の機器と接続できない旨をディスプレイ１５１に表示し、電話機２０１の機器接続処理部１０３は、電話機２１１に対して接続拒否応答を送る。）操作者２０４がテレビ２１２からの接続を受け入れる場合は、電話機２０１の機器接続ボタン１０９を押すと（３−２）、電話機２０１の機器接続処理部１０３は、電話機２１１に対して接続許可応答を送る（３−３）。（もし、操作者２０４がテレビ２１２からの接続を受け入れたくない場合は、機器接続ボタン１０９を押さずに放っておけば、一定時間後に電話機１０２の機器接続処理部１０３は、電話機２１１に対して接続拒否応答を送る。）
（４）電話機２０１の機器接続処理部１０３は、ＤＶＤレコーダ２０２から、ＤＶＤレコーダ２０２のアドレス情報（ＩＰアドレスとポート番号を含む）と認証鍵を取得し（４−１）、電話機２１１に送信する（４−２）。電話機２１１の機器接続処理部１０３は、受信したアドレス情報と認証鍵をテレビ２１２に渡す（４−３）。
【００１８】
（５）テレビ２１２は、渡されたアドレス情報に基づき、ＤＶＤレコーダ２０２に対して接続要求を送り、認証鍵を送って認証を要求する（５−１）。ＤＶＤレコーダ２０２は受信した認証鍵を検証し、認証可能であると判断すれば、テレビ２１２からの接続を許可する（５−２）。
【００１９】
（６）この状態でテレビ２１２とＤＶＤレコーダ２０２は論理的に接続されており、以下の手順で、両者の間で映像データの伝送が可能である。テレビ２１２はＤＶＤレコーダ２０２から、ＤＶＤレコーダ２０２が提供可能な映像データのリストを取得し（６−１）、テレビ２１２の画面に表示する。操作者２１４は、テレビのリモコンを操作して希望する映像データを選択すると、テレビ２１２は選択された映像データをＤＶＤレコーダ２０２に要求する。ＤＶＤレコーダ２０２は要求された映像データをテレビ２１２に対して送信し（６−２）、テレビ２１２は映像データを受信し、デコードし、表示する。
【００２０】
切断の手順は以下の通りである。
【００２１】
（７）操作者２１４が電話機２１１の受話器３１を置くと（７−１）、電話機２１１の音声通信処理部１０２は電話機２０１に対して切断通知を送り、音声通信を終了するとともに（７−２）、テレビ２１２に対して切断要求を送る（７−３）。テレビ２１２はＤＶＤレコーダ２０２に対して切断通知を送り、通信を切断する（７−４）。
【００２２】
次に、接続可能な機器をＩＰ電話に登録する手順を、図２における家庭２１を例に取って、以下に説明する。
【００２３】
（ｉ）操作者２１４がＩＰ電話２１１の機器検索ボタン１１０を押すと、機器接続処理部１０３は、従来技術のプラグアンドプレイ技術を用いて、家庭２１のネットワーク内にある、プラグアンドプレイに対応したすべての機器を検索し、図３（ｂ）の例のようにディスプレイ１５１に表示する。
【００２４】
（ｉｉ）操作者２１４がＩＰ電話２１１のボタン１５２および１５３を用いて画面上に表示された機器を選択し、ボタン１５４を押すと、機器接続処理部１０３は、選択された機器を、「接続可能な機器」として、機器データベース１０５に登録する。
【００２５】
（ｉｉｉ）登録したい機器が複数ある場合は、（ｉ）から（ｉｉ）の手順を繰り返す。
【００２６】
なお、本実施の形態１では発呼側（電話をかける側）から接続要求を出すとしたが、着呼側（電話を受ける側）から接続要求を出してもよい。
【００２７】
また、ＤＶＤレコーダから認証鍵を取得する手順としたが、ＩＰ電話が認証鍵を生成し、ＤＶＤレコーダに渡す手順としても良い。
【００２８】
また、本実施の形態１では、デジタルテレビとＤＶＤレコーダを接続する場合について述べたが、それ以外の機器であっても同様に適用可能である。
【００２９】
また、本実施の形態１では、機器接続ボタンを押した後に機器接続を行う手順としたが、電話が接続されたら自動的に、あらかじめ設定された機器を接続する手順としても良い。例えば、家庭２０のビデオカメラと家庭２１のテレビ、および、家庭２０のテレビと家庭２１のビデオカメラが自動的に接続されるように設定しておけば、電話がつながると自動的に相手の映像が自宅のテレビに表示され、テレビ電話機能を実現することができる。
【００３０】
また、本実施の形態１では、ＩＰ電話の操作によってテレビ２１２とＤＶＤプレーヤ２０２を直接接続する手順としたが、同様の手順でルータ２１３とルータ２０２をＶＰＮ（Ｖｉｒｔｕａｌ  Ｐｒｉｖａｔｅ  Ｎｅｔｗｏｒｋ）で接続することも可能であり、その場合も本発明の意図を損なうものではない。この場合、家庭２１と家庭２２のネットワークはＶＰＮによって接続されることで論理的に単一のネットワークとみなすことができるため、従来技術におけるプラグアンドプレイのしくみによってテレビ２１２とＤＶＤプレーヤ２０２は簡単に相手を検索し、接続することができる。
【産業上の利用可能性】
【００３１】
本発明にかかる音声通話装置は、ＩＰ電話機を用いて接続相手を指定する方法を用いることにより、相手の電話番号を入力するという、今まで使い慣れている操作だけで、接続相手を簡単に特定することができ、また、音声通話により相手を確認してから機器をつなぐことで、予測しない相手と接続してしまう危険を回避することができるものであり、通信回線を用いて音声およびデジタルデータの通信を行うもの等において有用である。
【図面の簡単な説明】
【００３２】
【図１】本発明の実施の形態１における音声通信装置の概略構成図
【図２】本発明の実施の形態１における音声通信装置を用いたネットワーク接続の一例を示した図
【図３】本発明の実施の形態１における音声通信装置の概観図および画面表示を示した図
【図４】本発明の実施の形態１における音声通信装置を使った機器接続手順を示した図
【図５】従来例におけるＵＰｎＰを用いた機器接続手順を示した図
【符号の説明】
【００３３】
１    音声通信装置
１０１    ネットワークインタフェース
１０２    音声通信処理部
１０３    機器接続処理部
１０４    電話帳データベース
１０５    機器データベース
１０６    音声入出力部（受話器）
１０８    数字ボタン
１０９    機器接続ボタン
１１０    機器検索ボタン
１２０    ネットワーク端子
１５１    ディスプレイ
１５２    上ボタン
１５３    下ボタン
１５４    決定ボタン
２０、２１    家庭
２０１、２１１    音声通信装置
２０２    ＤＶＤレコーダ
２１２    テレビ
２０３、２１３    ＩＰルータ
２０４、２１４    操作者
２２    ＩＰネットワーク
６１    ＤＶＤレコーダ
６２    テレビ
【図１】
2006080817.tif 000003
【図２】
2006080817.tif 000004
【図３】
2006080817.tif 000005
【図４】
2006080817.tif 000006
【図５】
2006080817.tif 000007